(57)【要約】【課題】  排水配管取回しの施工自由度が高い圧送排水機能の付いた水洗便器において、圧送排水機能部を水洗便器内部に一体化し、現場施工性の向上を図ることを可能とする。【解決手段】  本発明では、汚物まじりの排水を排出する便器と、前記便器内の排水を排出する便器排出口と、前記便器排出口から排出される排水を貯溜する床上に配置した貯溜槽と、前記貯溜槽内の排水を粉砕圧送するポンプと、からなる圧送排水機能付き便器において、前記便器排出口を前記貯溜槽上面に接続し、前記貯溜槽内部に、前記便器排出口と連通し、サイフォン作用を高めるための鉛直部を有する排水ソケットを設けたことを特徴とする。【選択図】  図１
2005105581.tif 000002
【特許請求の範囲】
【請求項１】
汚物まじりの排水を排出する便器と、
前記便器内の排水を排出する便器排出口と、
前記便器排出口から排出される排水を貯溜する床上に配置した貯溜槽と、
前記貯溜槽内の排水を粉砕圧送するポンプと、
からなる圧送排水機能付き便器において、
前記便器排出口を前記貯溜槽上面に接続し、前記貯溜槽内部に、前記便器排出口と連通し、サイフォン作用を高めるための鉛直部を有する排水ソケットを設けたことを特徴とする圧送排水機能付き便器
【請求項２】
前記便器排出口と前記排水ソケットを密閉して接続したことを特徴とする請求項１記載の圧送排水機能付き便器
【請求項３】
前記ポンプはモーター部と、固形状の汚物を粉砕する粉砕室と、粉砕された汚物まじりの排水を圧送するポンプ室からなり、前記モーター部を前記粉砕室および前記ポンプ室の上部に配置し、前記便器排出口から連通した前記排水ソケットを前記粉砕室の取入口に連通させて配置したことを特徴とする請求項１または２記載の圧送排水機能付き便器
【請求項４】
前記便器において、前記便器下部に貯留槽およびポンプを収納する収納部を設け、別体のカバー部により前記収納部に収納された前記貯溜槽および前記ポンプを隠蔽したことを特徴とする請求項１乃至３記載の圧送排水機能付き便器
【請求項５】
前記貯溜槽および前記ポンプを載置する載置部を備え、前記載置部を前記便器へ固定したことを特徴とする請求項１乃至４記載の圧送排水機能付き便器
【発明の詳細な説明】
【技術分野】
【０００１】
本発明は、水洗式便器に係り、特に排水配管取回しの施工自由度が高い圧送排水機能の付いた水洗式便器に関する発明である。
【背景技術】
【０００２】
従来、圧送装置を床面下に設置し、便器本体を床上に設置する水洗便器の圧送装置システムが提案されている。（例えば特許文献１）
【特許文献１】特開２００２−３６４０５０号公報（第４−５頁、第１および２図）
【０００３】
特許文献１を次図に基づいて説明する。
図６，７は従来の水栓便器に関する圧送システムの技術を説明する図であり、図６は従来の圧送装置システムの側面概略図であり、図７はその分解斜視図である。
図６および図７に示す圧送装置システム１１１は、タンク１１と、便器１２と、からなる壁排水式水洗便器１１０と、流入管２７と、筒部２４と貯溜槽２５と、からなる圧送装置２０と、からなる。貯溜槽２５中にはポンプインペラ２１、カッター２２、およびモーター２３が配置されている。流入口２６から入ってきた汚物混じりの排水は貯溜槽２５中のカッター２２により粉砕され、貯溜槽２５底部に溜まった屎尿と共にポンプインペラ２１により排水管路２８より外部へ圧送される。便器１２と圧送装置２０は、排水管１４の便器排水口４３と、排水を流入させる流入管２７の流入口２６とにおいて接続されている。また、便器１２は便器載置部１５の上に載置され、圧送装置２０の貯溜槽２５は載置部３０に載置している。載置部３０は固定部３１を介し床面４０に固定されており、便器載置部１５との着脱部３２を有している。
【０００４】
次に、洗浄操作に基づいて説明する。図示しない操作部が操作されることにより、タンク１１内にある洗浄水が便器１２に供給される。すると便器１２においてサイホン作用が発生し、排水管１４の便器排水口４３より圧送装置２０に向けて排水される。圧送装置２０では、流入管２７、筒部２４、貯溜槽２５の順に排水が進行する。貯溜槽２５では上記したカッター２２により汚物を粉砕し、排水管路２８より外部へ圧送する。
【０００５】
次に施工方法に基づいて説明する。壁排水式水洗便器１１０が設置される空間の後部側床面の開口部に、圧送装置２０を載置させるための載置部３０を設置し、該載置部３０へ圧送装置２０を載置させ、その圧送装置２０に圧送装置２０から排出される排水の経路となる排水管路２８を接続し、壁排水式水洗便器１１０の便器排水口４３と圧送装置２０の排水入り口である流入口２６を接続させる。なお接続前に載置部３０の着脱部３２と便器載置部１５とを接続しておく。したがって、圧送装置２０が載置する載置部３０が床面４０より下に備えられる。従って、壁排水式水洗便器１１０の便器排水口４３と、圧送装置２０との接続作業を行う際に、圧送装置自体が安定するため作業性が大幅に向上する。また、載置部３０と圧送装置２０の２つの構成要素を調整することにより便器１２と圧送装置２０の接続を行うことになるので、高さ方向の施工性の柔軟性が向上する。更に便器１２下部に便器載置部１５が備えられる。従って、便器載置部１５の厚みを複数種そろえることで圧送装置２０の流入口２６と、便器１２の便器排水口４３の位置合わせが更に調整しやすくなる。また載置部３０と着脱させることで便器１２の設置に関しても、圧送装置２０と同時に施工位置の確認ができるので、便器１２のための施工準備をする必要がなく施工性が向上する。また、床面４０に載置部３０の固定部３１があるため、圧送装置２０に何らかを接続するときなどに載置部３０自体が動くことなく施工性が更に飛躍すると共に、地震などの何らかの振動などがある際にも、確実に便器１２と圧送装置２０の接続を確保することが可能となる。また、取外しの際にも非常に取外しやすくなる。更に効果として、床面４０に連続的に載置部３０を形成することができ、意匠性が向上すると共に床面４０に開口部を見せないために、異物が床下に落下する恐れなどがなくなり安全性が向上する。なお図２では載置部と便器載置部は着脱部を介して接合していたが、あらかじめ一体的に形成しておくと装着する手間が省けさらなる施工性向上につながる。また載置部３０の固定場所をいろいろ変更させることで、施工方法自体を変えずにさまざまな排水芯を有する便器と簡便に圧送装置を接続することができる。
【０００６】
しかしながら、このような優れた作用効果を有する圧送装置においても、便器の洗浄排出能力を上げるためには十分にサイフォンを発生させる必要があり、便器排出管路は鉛直部が長くなり、終端の便器排出口は床上すれすれ近くまできていた。便器排出口の下側で圧送装置と設置する場合には、床面を開口して便器の下側に圧送装置を設置することになり、建築側への施工条件の負担が大きいばかりか、床面開口および便器排出口と圧送装置の流入口との接続作業性も悪いという問題があった。
また、便器後方に圧送装置を設置する場合には必然にトイレ空間の奥行き方向に長く設置スペースを必要とするものであった。
また、便器の後方に別体となった圧送装置が配管を通じて連結設置される場合には意匠性が悪いという問題があった。
【発明の開示】
【発明が解決しようとする課題】
【０００７】
本発明はこのような課題を解決するためになされたものであり、排水配管取回しの自由度が高い圧送排水の機能をもった便器において、施工性を向上させ、更には、省スペース化および意匠性の向上を図ることを目的とする。
【課題を解決するための手段】
【０００８】
上記目的を達成するために請求項１記載の発明は、汚物まじりの排水を排出する便器と、前記便器内の排水を排出する便器排出口と、前記便器排出口から排出される排水を貯溜する床上に配置した貯溜槽と、前記貯溜槽内の排水を粉砕圧送するポンプと、からなる圧送排水機能付き便器において、前記便器排出口を前記貯溜槽上面に接続し、前記貯溜槽内部に、前記便器排出口と連通し、サイフォン作用を高めるための鉛直部を有する排水ソケットを設けたことを特徴とする。
【０００９】
請求項２に係る発明では、前記便器排出口と前記排水ソケットを密閉して接続したことを特徴とする。
【００１０】
請求項３に係る発明では、前記ポンプはモーター部と、固形状の汚物を粉砕する粉砕室と、粉砕された汚物まじりの排水を圧送するポンプ室からなり、前記モーター部を前記粉砕室および前記ポンプ室の上部に配置し、前記便器排出口から連通した前記排水ソケットを前記粉砕室の取入口に連通させて配置したことを特徴とする。
【００１１】
請求項４に係る発明では、前記便器において、前記便器下部に貯留槽およびポンプを収納する収納部を設け、別体のカバー部により前記収納部に収納された前記貯溜槽および前記ポンプを隠蔽したことを特徴とする。
【００１２】
請求項５に係る発明では、前記貯溜槽および前記ポンプを載置する載置部を備え、前記載置部を前記便器へ固定したことを特徴とする。
【発明の効果】
【００１３】
請求項１に係る発明は、便器排出口を貯溜槽上面から接続することによって、便器後方ではなく、便器排出口の下部に貯溜槽を配置することができる。これにより、圧送排水機能付き便器全体の奥行き側のサイズを小さくすることができる。
また、便器内部に圧送装置を収納することができるため、便器と圧送装置が別体構成ではなく、一体的な構成となるため、意匠性が向上する。
また、便器からの汚物の洗浄排出性能についても、貯溜槽内部において鉛直部を有する排水ソケットを便器排出口と連通して接続することにより、貯溜槽を床上に配置した状態であっても、便器排出口から排水ソケット鉛直部下端において、便器排出管路の高低差を十分にとることができるため、貯留槽を床上に配置した場合においても、十分にサイフォン作用を生じさせることができ、汚物の排出を行うことができる。また、圧送排水機能付き便器の設置作業においても、便器の内部に圧送装置を収納した一体的な構成であるため、工場において組立、梱包、移送しやすい。更に、現場においては便器と圧送装置を接続する手間が省け、圧送排水機能付き便器を据付け、給排水を接続させるだけで良いため、施工性が大幅に向上する。
【００１４】
請求項２に係る発明では、便器排出口と排水ソケットを密閉状態で接続することにより、サイフォン現象において、接続部から排水が漏れることによりサイフォン力が弱くなるのを防止できる。また、汚物等の流れによる振動により配管がずれる等の影響で管路の途中で空気を巻込み、サイフォン力が弱くなるのを防止することができる。
【００１５】
請求項３に係る発明では、モーター部がポンプの上部に配置されており、粉砕室はモーター部下側のポンプの低い位置に配置されているため、排水ソケットと連通する粉砕室の取入口の位置をより下方に設けることができるため、排水ソケットの鉛直部をより長くすることができる。すなわち、便器排出管路の高低差をより長くとることができるため、サイフォン効果を高めることができ、便器の洗浄性能を向上することができる。
【００１６】
請求項４に係る発明では、便器排出口および貯溜槽およびポンプを便器袴部と一体的な意匠をもった別体のカバー部で隠蔽することにより、見栄えが良くなる。また、便器排出口と貯溜槽の接続部や貯溜槽およびポンプをメンテナンスする際にはカバー部を取外すことにより、行えるためメンテナンス作業性も向上する。
【００１７】
請求項５に係る発明では、貯溜槽およびポンプはそれぞれ載置部に載置し、便器に固定することができる。この構造をとることにより、各部の位置関係を安定して保持することができる。よって、移動するために圧送排水機能付き便器を持ち上げる場合にも、貯溜槽と便器排出口の接続部に無理な力が働くことがなく、接続部の破損や抜けのない構造を得ることができる。
【発明を実施するための最良の形態】
【００１８】
以下、本発明の実施の形態について、図面に基づいて説明する。図１は本発明の第一の実施形態に係る圧送排水機能付き便器の概略全体断面図であり、図２は同圧送排水機能付き便器の貯溜槽部の概略断面図である。図１および図２に示すように、ボウル部４１から続く便器排出路４２は一端上昇した後、下降した形状となっており、ボウル部４１に水封をとることができるようになっている。便器排出路４２の下端にあたる便器排出口４３は、貯溜槽２５に接続パッキン４４を介して、貯溜槽上面６２から接続されている。このような構成をとることにより、貯溜槽２５は便器排出路４２のほぼ下側すなわち圧送排水機能付き便器の内部に収納配置することが可能となっている。一方、貯溜槽２５の内部では便器排出路４２から水密をとって連通して、排水ソケット４５が接続されており、排水ソケット４５は鉛直部ＬＶを有しており、その後屈曲し、ポンプ４９の粉砕室４８の取入口５１方向に連通している。貯溜槽２５にはセンサー５２が設置してあり、貯溜槽２５内部の水位を感知し、ポンプ４９の起動、停止が可能となっている。
次に圧送排水機能付き便器の洗浄から圧送排水までの一連の動作に基づき、詳細説明する。図示しない洗浄操作部が操作されることにより、給水バルブ５３が開き、リム吐水口５４およびゼット吐水口５５から洗浄水を吐水する。洗浄動作の初期においてはリム吐水口５４から洗浄水を吐水し、ボウル部４１の洗浄と水位上昇を起こす。次に、ゼット吐水口５５から便器排出路４３の管路方向に向けて吐水を噴出させ、サイフォン作用を伴うことにより汚物を排出する。最後に再度リム吐水口５４からの吐水により、サイフォン作用により減少したボウル部４１の溜水を回復することにより、一連の洗浄動作が完了する。次に、便器排出口４３から排出された汚物まじりの排水は、排水ソケット４５を通過し、ポンプ４９の粉砕室４８に搬送される。一方、排水により貯溜槽２５の水位が規定の水位に達したことをセンサー５２が感知し、モーター２３によりカッター２２を回転させることにより粉砕し、小孔５６より貯溜槽２５の底部へ排出される。排出された汚物まじりの排水はポンプ４９底部のポンプ室４７において、同様にモーター２３にてポンプインペラ２１を回転することにより、内部圧送管５７および貯溜槽２５外部の圧送排水管５８を通じて、圧送排水され、規定水位以下に達したのをセンサー５２により感知してモーター２３を停止し、一連の圧送排水動作が完了する。このように圧送排水機能付き便器においては、洗浄後の排水をポンプにて圧送することが可能であり、排水管の施工、取回しに自由度を得ることができる。
以上詳細に説明したように、圧送排水機能付き便器の洗浄排出能力は、サイフォン作用を伴っており、このサイフォン作用の時間および強さが、便器の洗浄排出能力へ大きく影響する。本発明の構成においては、便器排出口４３の下流に密閉状に鉛直部ＬＶを有した排水ソケット４５を接続することにより、サイフォンを発生させる管路（以下サイフォン管路と呼ぶ）の長さは便器排出口４３の位置から排水ソケット４５の鉛直部ＬＶの下端位置まで図示するＤ１の長さ延長することができ、貯留槽２５を床上に配置した場合においても、サイフォン作用を十分に発生させる鉛直配管長さを確保することができる。また、排水ソケット４５の屈曲方向を図示するように圧送排水機能付き便器の後方側ではなく、サイド側へ曲げることにより、圧送排水機能付き便器の奥行き方向へのサイズを伸ばすことなく貯溜槽２５を圧送排水機能付き便器の内部に収納可能となる。
【００１９】
図３は本発明の第一の実施形態に係る圧送排水機能付き便器の後方からの一部分解斜視図である。図３に示すように便器袴部５９は圧送排水機能付き便器後方において、開口を設けてある。これにより、便器排出路４２と貯溜槽２５を目視にて確認しながら接続できる。また、貯溜槽２５やポンプ４９のような機構部のメンテナンス、便器排出路４２と貯溜槽２５との接続部の漏水確認がおこない易いようになっている。また、図３に示すように、貯溜槽２５は載置部３０に載置し、固定具６０により固定されている。更に、載置部３０は便器袴部５９に固定具６０により固定した構造となっている。このような構造をとることにより、貯溜槽２５は便器袴部５９に確実に固定することができ、便器排出路４２と貯溜槽２５との接続部の位置関係を保持することができる。これにより、便器を移動する際にも移動しやすく、便器排出路４２と貯溜槽２５の接続部にも移動の際に力がかかることなく、漏水や抜け、破損に関する信頼性を向上することができる。また、図３に示すように、便器袴部５９の開口は別体となったカバー部６１をはめ込み、固定具６０にて固定することができ、また、固定具６０を外して、容易に取外し可能となっている。これにより、便器袴部５９の開口から便器内部に配置している貯溜槽２５及び便器排出路４２その他機構部を隠蔽することができる。また、メンテナンス時にはカバー部６１を取外すことにより点検可能となっている。以上のように、意匠においても、貯溜槽２５を圧送排水機能付き便器内部に収納配置することができ、カバー部６１により隠蔽することにより向上することができる。その他にも、構造上も一体となっているため、工場にてあらかじめ貯溜槽２５を便器排出路４２に接続組立した後、設置現場に移送することができ、現場での接続施工の作業を減らすことができ、省施工化を図ることができる。
【００２０】
図４は本発明の第一の実施形態に係る圧送排水機能付き便器の便器排出口と排水ソケットの接続部の拡大外観図である。図４に示すように貯溜槽上面６２の上側には接続パッキン４４が備え付けられており、便器排出口４３をスリップインにて接続し、水密がとれる構造となっている。また、貯溜槽上面６２の下側の筒状部６４には突起６７およびＯリングパッキン６３の溝があり、Ｏリングパッキン６３が取付けられている。一方、排水ソケット４５にはＬ状の切欠き６５が切ってあり、切欠き６５途中には間隔の狭まった絞り部６６がある。排水ソケット４５を突起６７と切欠き６５を合せ、挿入の後、回転し、突起６７が絞り部６６を乗り越えることにより、排水ソケット４５を貯溜槽上面６２の下側に水密をとった状態で、位置を固定可能となっている。このように、貯溜槽上面６２を介して、便器排出口４３と排水ソケット４５を、水密をとって固定する構造を容易に得ることができる。これにより、便器の排出路の下端は、便器排出口４３から鉛直方向に排水ソケット４５の鉛直部ＬＶの下端まで水密をとって延長されることになり、サイフォン力を上げる効果を得ることができる。
【００２１】
図５は本発明の第二の実施形態に係る圧送排水機能付き便器の貯溜槽部の概略断面図である。
図５に示す貯溜槽２５およびその内部構造以外については第一の実施例と同様とし、説明を省略する。また、図２と同様の機能を有する部位については同符号、同名称とし、説明を省略する。図５に示すように、ポンプ４９は貯溜槽２５の底側よりポンプインペラ２１を備えたポンプ室４７、その上部にカッター２２を備え小孔５６の空いた粉砕室４８、その上部にモーター２３を配置した構成をとっており、モーター２３の回転力は同軸上のカッター２２およびポンプインペラ２１に同時に伝達可能な構造となっている。排水ソケット４５は便器排出路４２と貯溜槽上面６２を介して水密に接続されており、粉砕室４８の取入口５１に連通している。本構成のポンプ４９においては図２に示すポンプと比較して、粉砕室４８がポンプ４９の低い位置に配置された構成となっており、図示するように排水ソケット４５の鉛直部ＬＶをより長くとることができる。このような構造により、圧送排水機能付き便器のサイフォン管路は便器排出口４３の位置から排水ソケット４５の鉛直部ＬＶの下端位置まで図示するＤ２の長さ延長することができ、洗浄排出のためのサイフォン効果をより向上させることができる。
【図面の簡単な説明】
【００２２】
【図１】本発明の第一の実施形態に係る圧送排水機能付き便器の概略全体断面図である。
【図２】本発明の第一の実施形態に係る圧送排水機能付き便器の貯溜槽部の概略断面図である。
【図３】本発明の第一の実施形態に係る圧送排水機能付き便器の後方からの一部分解斜視図である。
【図４】本発明の第一の実施形態に係る圧送排水機能付き便器の便器排出口と排水ソケットの接続部の拡大外観図である。
【図５】本発明の第二の実施形態に係る圧送排水機能付き便器の貯溜槽部の概略断面図である。
【図６】従来の圧送装置システムの側面概略図である。
【図７】従来の圧送装置システムの分解斜視図である。
【符号の説明】
【００２３】
１１…タンク
１２…便器
１４…排水管
１５…便器載置部
２０…圧送装置
２１…ポンプインペラ
２２…カッター
２３…モーター
２４…筒部
２５…貯溜槽
２６…流入口
２７…流入管
２８…排水管路
３０…載置部
３１…固定部
３２…着脱部
４０…床面
４１…ボウル部
４２…便器排出路
４３…便器排出口
４４…接続パッキン
４５…排水ソケット
４７…ポンプ室
４８…粉砕室
４９…ポンプ
５１…取入口
５２…センサー
５３…給水バルブ
５４…リム吐水口
５５…ゼット吐水口
５６…小孔
５７…内部圧送管
５８…圧送排水管
５９…便器袴部
６０…固定具
６１…カバー部
６２…貯溜槽上面
６３…Ｏリングパッキン
６４…筒状部
６５…切欠き
６６…絞り部
６７…突起
１１０…壁排水式水洗便器
１１１…圧送装置システム
ＬＶ…鉛直部
Ｄ１、Ｄ２…延長した長さ
【図１】
2005105581.tif 000003
【図２】
2005105581.tif 000004
【図３】
2005105581.tif 000005
【図４】
2005105581.tif 000006
【図５】
2005105581.tif 000007
【図６】
2005105581.tif 000008
【図７】
2005105581.tif 000009